(57)【要約】【課題】  取付部を物干竿に対して容易に取り付けることができるようにするとともに確実且つ強固に取り付けることができるができるようにした物干竿用ハンガー保持具を提供する。【解決手段】  横断面円形の物干竿Ｒにこれを包持して取り付けられ壁部２に軸線４方向に沿うスリット５が形成されて断面円形の中空部を有した筒状に形成されるとともにスリット５を拡開することにより略平板状になるまで弾性変形し且つその弾性力により円筒状に復元する可撓性の弾性樹脂で構成された取付部１と、取付部１のスリット５とは反対側の壁部外側２ａに設けられハンガーＨのフックＨａを係止してハンガーＨの物干竿Ｒに対する移動を規制する係止孔１０とを備えて構成した。【選択図】図１
2011030886.tif 000002
【特許請求の範囲】
【請求項１】
横断面円形の物干竿にこれを包持して取り付けられる取付部と、該取付部の外側に設けられハンガーのフックを係止して該ハンガーの物干竿に対する移動を規制する係止孔とを備えた物干竿用ハンガー保持具において、
上記取付部を、壁部に軸線方向に沿うスリットが形成され断面円形の中空部を有した筒状に形成するとともに、該スリットを拡開することにより略平板状になるまで弾性変形し且つその弾性力により円筒状に復元する可撓性の弾性樹脂で構成し、上記係止孔を上記取付部の上記スリットとは反対側の壁部外側に設けたことを特徴とする物干竿用ハンガー保持具。
【請求項２】
上記取付部をシリコーン樹脂で構成したことを特徴とする請求項１記載の物干竿用ハンガー保持具。
【請求項３】
上記係止孔を上記取付部の軸線方向に沿って所定間隔で複数列設し、上記取付部の軸線方向長さＬを２００ｍｍ≦Ｌ≦４００ｍｍとし、該各係止孔の間隔Ｐ１を４０ｍｍ≦Ｐ１≦６０ｍｍとしたことを特徴とする請求項１または２記載の物干竿用ハンガー保持具。
【請求項４】
上記取付部の両端縁から最も近隣の係止孔までの距離Ｐ２を、Ｐ２＝（１／２）Ｐ１としたことを特徴とする請求項３記載の物干竿用ハンガー保持具。
【請求項５】
上記係止孔を可撓性の弾性樹脂からなるリング部材の貫通孔により構成し、該リング部材をその貫通孔の軸線が上記取付部の軸線方向に直交するように上記取付部の上記スリットとは反対側の壁部外側に付設したことを特徴とする請求項１乃至４何れかに記載の物干竿用ハンガー保持具。
【請求項６】
上記リング部材の壁部に、上記ハンガーのフックが通過可能な切り込み部を形成したことを特徴とする請求項５記載の物干竿用ハンガー保持具。
【請求項７】
上記リング部材を、上記取付部と同材質で該取付部に一体形成したことを特徴とする請求項５または６記載の物干竿用ハンガー保持具。
【請求項８】
上記係止孔を、その軸線が上記取付部の軸線方向に直交する方向に延びるように上記取付部の上記スリットとは反対側の壁部に開設したことを特徴とする請求項１乃至４何れかに記載の物干竿用ハンガー保持具。
【請求項９】
上記係止孔を上開放に形成し、該係止孔の上記取付部の軸線方向両外側に該係止孔に向けて傾斜する傾斜面を有したガイド凸部を設けたことを特徴とする請求項８記載の物干竿用ハンガー保持具。
【発明の詳細な説明】
【技術分野】
【０００１】
本発明は、物干竿に取り付けてハンガーを保持する物干竿用ハンガー保持具に係り、特に、ハンガーのフックを係止してハンガーの物干竿に対する移動を規制する物干竿用ハンガー保持具に関する。
【背景技術】
【０００２】
従来、この種の物干竿用ハンガー保持具としては、例えば、特許文献１（実公平３−４１６７５号公報）に掲載されたものが知られている。図９に示すように、この物干竿用ハンガー保持具Ｓａは、リング状に形成され横断面円形の物干竿Ｒにこれを包持して取り付けられる取付部１００と、取付部１００の外壁部１０１に設けられハンガーＨのフックＨａを係止してハンガーＨの物干竿Ｒに対する移動を規制する係止孔１０２とを備えて構成されている。
取付部１００は、一方端１００ａ及び他方端１００ｂを有するリング状に形成され、一方端１００ａが凹状、他方端１００ｂが一方端１００ａに噛合される凸状に形成されている。
係止孔１０２は、棒状部材を湾曲させて形成されハンガーＨのフックＨａが挿通される挿通孔１０３を有したクリップ１０４の挿通孔１０３により構成され、その軸線が取付部１００の軸線方向に直交するように形成されている。このクリップ１０４は、取付部１００に等間隔で３つ設けられており、取付部１００の一方端部１００ａに１つ設けられるとともに取付部１００の他方端部１００ｂに１つ設けられている。
【０００３】
この物干竿用ハンガー保持具Ｓａを物干竿Ｒに取り付けるときは、例えば、手で取付部１００の一方端部１００ａに設けられたクリップ１０４と取付部１００の他方端部１００ｂに設けられたクリップ１０４とを把持し、このクリップを図９（Ａ）に示す矢印方向に移動させてクリップ１０４間を狭めることにより取付部１００のリング径を大きくし、この状態で物干竿Ｒの端部から取付部１００を挿通する。その後、クリップ１０４の把持を解除すると、取付部１００の弾性力によりリング径が元の大きさまで戻ろうとしてリング径が小さくなっていき、これによって、取付部１００が物干竿Ｒを包持するようになる。
このように取り付けた物干竿用ハンガー保持具ＳａでハンガーＨを保持させるときは、図９（Ｂ）に示すように、ハンガーＨのフックＨａを３つの係止孔１０２全てに挿通して係止させる。
【０００４】
また、従来、例えば、特許文献２（特開２００６−５８８号公報）に掲載されたものも知られている。図１０に示すように、この物干竿用ハンガー保持具Ｓｂは、横断面円形の物干竿Ｒにこの上側を包持して取り付けられる取付部１１０と、取付部１１０に設けられハンガーＨのフックＨａを係止してハンガーＨの物干竿Ｒに対する移動を規制する係止孔１１１とを備えて構成されている。
取付部１１０は、金属製の弱バネ圧部材を湾曲させて形成され、物干竿Ｒの上側を包持する半円筒部１１０ａと、半円筒部１１０ａの上部に設けられる平板部１１０ｂとを備えて構成されている。
係止孔１１１は、取付部１１０の平板部１１０ｂの一部を切り抜いて長孔に形成されている。また、取付部１１０の平板部１１０ｂの上縁から係止孔１１１に至るように通過孔１１２が形成されている。
【０００５】
この物干竿用ハンガー保持具Ｓｂを物干竿Ｒに取り付けるときは、例えば、手で取付部１１０の半円筒部１１０ａを把持して若干拡開し、この状態で半円筒部１１０ａを物干竿Ｒの上方から被せ、その後、把持を解除する。把持を解除すると、取付部１１０は弱バネ圧部材で構成されているので、取付部１１０が物干竿Ｒの上側を挟むようになり、これによって取付部１１０を物干竿Ｒに取り付けることができる。
このように取り付けた物干竿用ハンガー保持具ＳｂでハンガーＨを保持させるときは、図１０（Ａ）に示すように、ハンガーＨのフックＨａを通過孔１１２から係止孔１１１に挿通して係止させる。
【先行技術文献】
【特許文献】
【０００６】
【特許文献１】実公平３−４１６７５号公報
【特許文献２】特開２００６−５８８号公報
【発明の概要】
【発明が解決しようとする課題】
【０００７】
しかしながら、前者の物干竿用ハンガー保持具Ｓａにおいては、取付部１００が物干竿Ｒの外周を完全に包持するようになるので取付部１００を物干竿Ｒに対して強固に取り付けることはできるが、取付部１００を物干竿Ｒの端部から挿通して任意の箇所に取り付けなければならず、そのため、取付部１００の物干竿Ｒに対する取り付け作業が煩雑であるという問題があった。また、取付部１００の一方端部１００ａに設けられたクリップ１０４と他方端部１００ｂに設けられたクリップ１０４とを狭めることによりリング径を大きくしているが、クリップ１０４間の距離を狭めていくとクリップ１０４同士が衝突するので、リング径の拡大に限界があり、そのため、物干竿Ｒの外径によっては取り付けることができないという問題もある。
また、後者の物干竿用ハンガー保持具Ｓｂにおいては、取付部１１０を物干竿Ｒの上方から被せて取り付けるので取付部１１０を物干竿Ｒに対して比較的容易に取り付けることができるが、取付部１１０が半円筒状なので、物干竿Ｒに取り付けた際、取付部１１０が物干竿Ｒの上側半分のみしか包持できないし、金属製の弱バネ圧部材なので摩擦抵抗が小さく、それだけ、取付部１１０の物干竿Ｒに対する取り付けが確実でないという問題があった。
【０００８】
本発明は、このような問題点に鑑みてなされたもので、取付部を物干竿に対して容易に取り付けることができるようにするとともに確実且つ強固に取り付けることができるようにした物干竿用ハンガー保持具を提供することを目的とする。
【課題を解決するための手段】
【０００９】
このような目的を達成するため、本発明の物干竿用ハンガー保持具は、横断面円形の物干竿にこれを包持して取り付けられる取付部と、該取付部の外側に設けられハンガーのフックを係止して該ハンガーの物干竿に対する移動を規制する係止孔とを備えた物干竿用ハンガー保持具において、上記取付部を、壁部に軸線方向に沿うスリットが形成され断面円形の中空部を有した筒状に形成するとともに、該スリットを拡開することにより略平板状になるまで弾性変形し且つその弾性力により円筒状に復元する可撓性の弾性樹脂で構成し、上記係止孔を上記取付部の上記スリットとは反対側の壁部外側に設けた構成としている。取付部の内径は、物干竿の外径よりも僅かに小さく設定されることが望ましい。
【００１０】
これにより、本発明の物干竿用ハンガー保持具を物干竿に取り付けるときは、例えば、手で取付部を把持してスリットを拡開し、この拡開したスリットから取付部を物干竿の上方から被せ、その後、把持を解除する。把持を解除すると、取付部はその弾性力により円筒状に復元しようとし、取付部の壁部内側が物干竿の外周面に当接するようになる。この場合、取付部をそのスリットを適宜に拡開して物干竿の上方から被せて取り付けるだけなので、取付部をワンタッチで取り付けることができ、そのため、取付部を物干竿に対して極めて容易に取り付けることができる。
この状態では、取付部が筒状なので、物干竿の上側半分のみならず下側も包持できるようになり、そのため、包持範囲が広くなることから、取付部が物干竿に対して確実且つ強固に取り付けられる。また、取付部は、略平板状になるまで弾性変形可能な樹脂で形成されているので、挾持力が強く、また、摩擦抵抗も大きくできることから、より一層取付部が物干竿に対して確実且つ強固に取り付けられる。更に、取付部のスリットを拡開して取付部を物干竿に取り付けるので、外径が比較的大きな物干竿であっても容易に取り付けることができ、そのため、汎用性に優れたものとなっている。
【００１１】
このように取り付けた物干竿用ハンガー保持具でハンガーを保持させるときは、ハンガーのフックを係止孔に挿通して係止させる。これによってハンガーの物干竿に対する移動を規制することができるので、例えば、係止孔を複数設けて各係止孔にハンガーを係止させた場合でも、風等によってハンガーが移動してハンガー同士が接触する事態を防止することができ、そのため、ハンガーを所定位置で確実に保持することができる。また、係止孔を取付部のスリットとは反対側の壁部外側に設けたので、ハンガーやハンガーに掛けられる洗濯物等の重量によってスリットが拡開させられることがなく、そのため、取付部を物干竿に対して確実且つ強固に取り付けることができるので、ハンガーを確実に保持することができる。
【００１２】
そして、必要に応じ、上記取付部をシリコーン樹脂で構成している。
シリコーン樹脂なので、摩擦抵抗を大きくすることができ、そのため、取付部の取り付け後に、取付部が物干竿に対してその軸線方向に移動する事態を確実に防止することができ、また、取付部が物干竿に対してその軸線を中心に回転する事態を確実に防止することができるので、取付部を物干竿に対して確実且つ強固に取り付けることができる。
【００１３】
また、必要に応じ、上記係止孔を上記取付部の軸線方向に沿って所定間隔で複数列設し、上記取付部の軸線方向長さＬを２００ｍｍ≦Ｌ≦４００ｍｍとし、該各係止孔の間隔Ｐ１を４０ｍｍ≦Ｐ１≦６０ｍｍとした構成としている。
これにより、１つの物干竿用ハンガー保持具で複数のハンガーを保持することができるので、利便性が向上する。また、物干竿全体に本物干竿用ハンガー保持具を取り付ける場合、取付部の軸線方向長さＬが２００ｍｍ≦Ｌ≦４００ｍｍに形成されているので、本物干竿用ハンガー保持具を大量に使用しなくても良く、それだけ、経済的である。更に、各係止孔の間隔Ｐ１は４０ｍｍ≦Ｐ１≦６０ｍｍに形成されており、これ以上間隔Ｐ１を狭くすると各係止孔に係止されたハンガー同士が接触しやすくなり、これ以上間隔Ｐ１を広くすると１つの物干竿用ハンガー保持具に設けられる係止孔の数が少なくなってしまう。
【００１４】
更に、必要に応じ、上記取付部の両端縁から最も近隣の係止孔までの距離Ｐ２を、Ｐ２＝（１／２）Ｐ１とした構成としている。
これにより、本物干竿用ハンガー保持具を２つ以上連設させて取り付けると、一方の取付部の一端縁から最も近隣の係止孔と、他方の取付部の他端縁から最も近隣の係止孔との距離が間隔Ｐ１と同じになるので、複数の物干竿用ハンガー保持具を設けても、全ての係止孔の間隔が等間隔となり、そのため、取り扱いが極めて容易になる。
【００１５】
更にまた、必要に応じ、上記係止孔を可撓性の弾性樹脂からなるリング部材の貫通孔により構成し、該リング部材をその貫通孔の軸線が上記取付部の軸線方向に直交するように上記取付部の上記スリットとは反対側の壁部外側に付設した構成としている。
これにより、ハンガーのフックにおいて取付部の軸線方向の移動をリング部材の壁部で抑えることができるので、ハンガーの保持が確実になる。また、リング状なので、カラス等の鳥によってハンガーを外されて持っていかれる事態も防止される。
【００１６】
そして、また、必要に応じ、上記リング部材の壁部に、上記ハンガーのフックが通過可能な切り込み部を形成した構成としている。
これにより、ハンガーのフックを、切り込み部を通過させて係止孔に挿通することができるので、比較的容易に挿通することができる。また、ハンガーのフックが係止孔の内径よりも太い場合でも、リング部材は可撓性の弾性樹脂で形成されているので、ハンガーのフックを切り込み部から通過させることによりリング部材の切り込み部が拡開し、これによってハンガーのフックを係止孔に挿通することができる。また、挿通後には、リング部材がその弾性力により元の径に復元しようとし、これによってハンガーのフックがリング部材に挾着されるようになるので、ハンガーのフックを係止孔で確実に係止させることができる。
【００１７】
また、必要に応じ、上記リング部材を、上記取付部と同材質で該取付部に一体形成した構成としている。
これにより、リング部材が取付部と同材質なので、摩擦抵抗を比較的大きくすることができ、そのため、リング部材によるハンガーのフックの係止がより確実になるとともに、製造を比較的容易に行なうことができる。
【００１８】
更に、必要に応じ、上記係止孔を、その軸線が上記取付部の軸線方向に直交する方向に延びるように上記取付部の上記スリットとは反対側の壁部に開設した構成としている。
これにより、係止孔を取付部の壁部に開設したので、製造が極めて容易に行なわれる。
【００１９】
更にまた、必要に応じ、上記係止孔を上開放に形成し、該係止孔の上記取付部の軸線方向両外側に該係止孔に向けて傾斜する傾斜面を有したガイド凸部を設けた構成としている。
これにより、ハンガーのフックをガイド凸部に引っ掛けるだけで、ガイド凸部の傾斜面に沿ってハンガーのフックを係止孔に導くことができ、そのため、ハンガーのフックを係止孔に容易に挿通することができるので、ハンガー掛けの作業性を向上させることができる。
【発明の効果】
【００２０】
本発明の物干竿用ハンガー保持具によれば、取付部のスリットを拡開して物干竿の上方から被せ、その弾性力により取付部を円筒状に復元させて、取付部を物干竿の上側半分のみならず下側も包持させて取り付ける。この場合、取付部をそのスリットを適宜に拡開して物干竿の上方から被せて取り付けるだけなので、取付部をワンタッチで取り付けることができ、そのため、取付部を物干竿に対して極めて容易に取り付けることができるとともに、取付部が物干竿の上側半分のみならず下側も包持できるようになり、そのため、包持範囲が広くなることから、取付部を物干竿に対して確実且つ強固に取り付けることができる。また、取付部は、略平板状になるまで弾性変形可能な樹脂で形成されているので、挾持力が強く、また、摩擦抵抗も大きくできることから、より一層取付部を物干竿に対して確実且つ強固に取り付けることができる。
【００２１】
また、この物干竿用ハンガー保持具にハンガーを保持させるときは、ハンガーのフックを係止孔に挿通して係止させる。これによってハンガーの物干竿に対する移動を規制することができるので、例えば、係止孔を複数設けて各係止孔にハンガーを係止させた場合でも、風等によってハンガーが移動してハンガー同士が接触する事態を防止することができ、そのため、ハンガーを所定位置で確実に保持することができる。また、係止孔を取付部のスリットとは反対側の壁部外側に設けたので、ハンガーやハンガーに掛けられる洗濯物等の重量によってスリットが拡開させられることがなく、そのため、取付部を物干竿に対して確実且つ強固に取り付けることができるので、ハンガーを確実に保持することができる。
【図面の簡単な説明】
【００２２】
【図１】本発明の実施の形態に係る物干竿用ハンガー保持具を、その使用状態で示す斜視図である。
【図２】本発明の実施の形態に係る物干竿用ハンガー保持具を示す斜視図である。
【図３】本発明の実施の形態に係る物干竿用ハンガー保持具を、そのスリットを拡開させて略平板状に弾性変形させた状態を示す斜視図である。
【図４】本発明の実施の形態に係る物干竿用ハンガー保持具を示し、（Ａ）は物干竿に取り付ける前の状態を示す断面図、（Ｂ）はスリットを拡開させた状態を示す断面図、（Ｃ）は物干竿に取り付けた後の状態を示す断面図である。
【図５】本発明の実施の形態に係る物干竿用ハンガー保持具を物干竿に複数連設させて取り付けた状態を示す斜視図である。
【図６】本発明の実施の形態に係る物干竿用ハンガー保持具を示し、（Ａ）はハンガーを係止させる前の状態を示す断面図、（Ｂ）はハンガーのフックが切り込み部を通過する状態を示す断面図、（Ｃ）はハンガーを係止孔に係止させた後の状態を示す断面図である。
【図７】本発明の別の実施の形態に係る物干竿用ハンガー保持具を、その使用状態で示す斜視図である。
【図８】本発明の別の実施の形態に係る物干竿用ハンガー保持具を示し、（Ａ）はハンガーを係止させる前の状態を示す断面図、（Ｂ）はハンガーを係止孔に係止させた後の状態を示す断面図である。
【図９】従来の物干竿用ハンガー保持具の一例を示し、（Ａ）は斜視図、（Ｂ）は使用状態を示す断面図である。
【図１０】従来の物干竿用ハンガー保持具の一例を示し、（Ａ）は正面図、（Ｂ）は側面断面図である。
【発明を実施するための形態】
【００２３】
以下、添付図面に基づいて本発明の実施の形態に係る物干竿用ハンガー保持具を説明する。尚、上記と同様のものには同一の符号を付して説明する。
図１乃至図６には、本発明の実施の形態に係る物干竿用ハンガー保持具Ｓを示している。この物干竿用ハンガー保持具Ｓは、横断面円形の物干竿Ｒにこれを包持して取り付けられる取付部１と、取付部１の外側に設けられハンガーＨのフックＨａを係止してハンガーＨの物干竿Ｒに対する移動を規制する係止孔１０とを備えて構成されている。
【００２４】
取付部１は、断面円形の中空部３を有した筒状に形成されており、その軸線方向長さＬが２００ｍｍ≦Ｌ≦４００ｍｍに形成されている。この取付部１は、その壁部２に軸線４方向に沿うスリット５が形成され、スリット５を拡開することにより図３に示すような略平板状になるまで弾性変形し且つその弾性力により円筒状に復元する可撓性の弾性樹脂で構成されている。実施の形態では、軸線方向長さＬ＝３５０ｍｍの円筒状に形成されたシリコーン樹脂で構成されている。
【００２５】
係止孔１０は、取付部１と同材質の可撓性の弾性樹脂からなるリング部材１１の貫通孔１２により構成されている。このリング部材１１は、その壁部１１ａにハンガーＨのフックＨａが通過可能な切り込み部１３が形成されており、その貫通孔１２の軸線１２ａが取付部１の軸線４方向に直交するように取付部１のスリット５とは反対側の壁部外側２ａに一体形成されて設けられている。この切り込み部１３は、リング部材１１の横側の壁部１１ａに直線状に形成されている。
【００２６】
この係止孔１０を構成するリング部材１１は、取付部１の軸線４方向に沿って所定間隔で複数列設され、各係止孔１０の中心点１０ａ間の間隔Ｐ１が４０ｍｍ≦Ｐ１≦６０ｍｍに形成されるとともに、取付部１の両端縁６から最も近隣の係止孔１０の中心点１０ａまでの距離Ｐ２がＰ２＝（１／２）Ｐ１に形成されている。実施の形態では、Ｐ１＝５０ｍｍ、Ｐ２＝２５ｍｍに形成されている。即ち、実施の形態では、係止孔１０は取付部１に７つ設けられている。
【００２７】
従って、この実施の形態に係る物干竿用ハンガー保持具Ｓを横断面円形の物干竿Ｒに取り付けるときは、例えば、図４（Ａ）、図４（Ｂ）に示すように、手で取付部１を把持してスリット５を拡開し、この拡開したスリット５から取付部１を物干竿Ｒの上方から被せ、その後、把持を解除する。把持を解除すると、図４（Ｃ）に示すように、取付部１はその弾性力により円筒状に復元しようとし、取付部１の壁部内側２ｂが物干竿Ｒの外周面に当接するようになる。この場合、取付部１をそのスリット５を適宜に拡開して物干竿Ｒの上方から被せて取り付けるだけなので、取付部１をワンタッチで取り付けることができ、そのため、取付部１を物干竿Ｒに対して極めて容易に取り付けることができる。この状態では、取付部１が筒状なので、物干竿Ｒの上側半分のみならず下側も包持できるようになり、そのため、包持範囲が広くなることから、取付部１を物干竿Ｒに対して確実且つ強固に取り付けることができる。また、取付部１は、図３に示すような略平板状になるまで弾性変形可能な樹脂で形成されているので、挾持力が強く、また、摩擦抵抗も大きいことから、より一層取付部１を物干竿Ｒに対して確実且つ強固に取り付けることができる。更に、取付部１のスリット５を拡開して取付部１を物干竿Ｒに取り付けるので、外径が比較的大きな物干竿Ｒであっても容易に取り付けることができ、そのため、汎用性に優れたものとなっている。
【００２８】
このように取り付けると、図１に示すように、取付部１は、スリット５が物干竿Ｒの下側に位置し、リング部材１１が物干竿Ｒの上側に位置するようになる。この取付部１は、シリコーン樹脂で構成されているので摩擦抵抗を大きくすることができ、そのため、取付部１の取り付け後に、取付部１が物干竿Ｒに対してその軸線４方向に移動する事態を確実に防止することができ、また、取付部１が物干竿Ｒに対してその軸線４を中心に回転する事態を確実に防止することができるので、取付部１を物干竿Ｒに対して確実且つ強固に取り付けることができる。
【００２９】
また、本物干竿用ハンガー保持具Ｓを複数用いて物干竿Ｒ全体に物干竿用ハンガー保持具Ｓを取り付ける場合は、図５に示すように、各物干竿用ハンガー保持具Ｓの取付部１を、その端縁６同士を連設させて取り付ける。この場合、取付部１の軸線方向長さＬが２００ｍｍ≦Ｌ≦４００ｍｍに形成されているので、本物干竿用ハンガー保持具Ｓを大量に使用しなくても良く、それだけ、経済的である。また、連設する一方の取付部１の一端縁６から最も近隣の係止孔１０と、他方の取付部１の他端縁６から最も近隣の係止孔１０との距離が間隔Ｐ１と同じになるので、複数の物干竿用ハンガー保持具Ｓを設けても、全ての係止孔１０の間隔が等間隔となり、そのため、取り扱いが極めて容易になる。
【００３０】
このように取り付けた物干竿用ハンガー保持具ＳでハンガーＨを保持させるときは、図６（Ａ）、図６（Ｂ）に示すように、ハンガーＨのフックＨａを、リング部材１１の切り込み部１３を通過させて係止孔１０に挿通して係止させる。切り込み部１３を通過させて係止孔１０に挿通するので、比較的容易に挿通することができる。また、ハンガーＨのフックＨａが係止孔１０の内径よりも太い場合でも、リング部材１１は可撓性の弾性樹脂で形成されているので、図６（Ｂ）に示すように、ハンガーＨのフックＨａを切り込み部１３から通過させることによりリング部材１１の切り込み部１３が拡開し、これによってハンガーＨのフックＨａを係止孔１０に挿通することができる。
【００３１】
ハンガーＨのフックＨａを係止孔１０に挿通すると、図６（Ｃ）に示すように、リング部材１１がその弾性力により元の径に復元しようとし、これによってハンガーＨのフックＨａがリング部材１１に挾着されるようになる。このリング部材１１はシリコーン樹脂で構成されているので、摩擦抵抗を大きくすることができ、そのため、ハンガーＨのフックＨａをリング部材１１の壁部内側１４で確実に係止させることができる。また、係止孔１０を取付部１のスリット５とは反対側の壁部外側２ａに設けたので、ハンガーＨやハンガーＨに掛けられる洗濯物等の重量によってスリット５が拡開させられることがなく、そのため、取付部１を物干竿Ｒに対して確実且つ強固に取り付けることができるので、ハンガーＨを確実に保持することができる。また、係止孔１０がリング部材１１で構成されているので、カラス等の鳥によってハンガーＨを外されて持っていかれる事態を防止することができる。
【００３２】
また、例えば、複数の係止孔１０全てにハンガーＨを係止させた場合でも、ハンガーＨが取付部１の軸線４方向に移動する事態をリング部材１１の壁部１１ａで抑えることができるので、ハンガーＨの物干竿Ｒに対する移動が規制され、そのため、風等によってハンガーＨが移動してハンガーＨ同士が接触する事態を確実に防止することができるので、ハンガーＨを所定位置で確実に保持することができる。また、係止孔１０の間隔Ｐ１が４０ｍｍ≦Ｐ１≦６０ｍｍに形成されているので、この点でも、各係止孔１０に係止されたハンガーＨ同士が接触する事態を確実に防止することができる。この間隔Ｐ１は、各係止孔１０に係止されたハンガーＨ同士が接触する事態を防止する目的の他に、１つの物干竿用ハンガー保持具Ｓに係止孔１０の数を最大限設ける目的で設定されている。即ち、これ以上間隔Ｐ１を狭くすると各係止孔１０に係止されたハンガーＨ同士が接触しやすくなり、これ以上間隔Ｐ１を広くすると１つの物干竿用ハンガー保持具Ｓに設けられる係止孔１０の数が少なくなってしまう。
【００３３】
本物干竿用ハンガー保持具Ｓは、１つの取付部１に複数の係止孔１０を設けているので、１つの物干竿用ハンガー保持具Ｓで複数のハンガーＨを保持することができ、そのため、利便性が向上する。また、リング部材１１を取付部１と同材質で一体形成しているので、製造を比較的容易に行なうことができる。
【００３４】
図７及び図８には、本発明の別の実施の形態に係る物干竿用ハンガー保持具Ｓを示している。これは、係止孔１０が、上開放に形成されるとともに、その軸線１５が取付部１の軸線４方向に直交する方向に延びるように取付部１のスリット５とは反対側の壁部２に開設されている。この係止孔１０は、上記と同様の間隔で複数設けられている。また、係止孔１０の取付部１の軸線４方向両外側に、係止孔１０に向けて傾斜する傾斜面１６を有したガイド凸部１７が設けられている。このガイド凸部１７は、取付部１と同材質で取付部１に一体形成されている。取付部１とガイド凸部１７とを同材質で一体形成するとともに、係止孔１０を取付部１の壁部２に開設しているので、製造を極めて容易に行なうことができる。
【００３５】
従って、この物干竿用ハンガー保持具ＳでハンガーＨを保持させるときは、先ず、上記と同様に、係止孔１０が物干竿Ｒの上側に位置するように取付部１を物干竿Ｒに取り付ける。次に、図８（Ｂ）に示すように、ハンガーＨのフックＨａを、開放されている係止孔１０の上側から係止孔１０に挿通して係止させる。このとき、ガイド凸部１７が設けられているので、ハンガーＨのフックＨａをガイド凸部１７に引っ掛けるだけで、ガイド凸部１７の傾斜面１６に沿ってハンガーＨのフックＨａを係止孔１０に導くことができ、そのため、ハンガーＨのフックＨａを係止孔１０に容易に挿通することができるので、ハンガー掛けの作業性を向上させることができる。
【００３６】
また、ハンガーＨのフックＨａを係止孔１０に挿通した後、ハンガーＨのフックＨａが係止孔１０から抜けようとしても、係止孔１０の取付部１の軸線４方向両外側にガイド凸部１７が設けられているので、抜けようとしたハンガーＨのフックＨａがガイド凸部１７に当たって、このガイド凸部１７の傾斜面１６に沿ってハンガーＨのフックＨａが係止孔１０に導かれて再び係止孔１０に挿通されるようになるので、この点でも、ハンガーＨのフックＨａを係止孔１０に確実に係止させることができる。
その他の構成，作用，効果は上記実施の形態と同様である。
【００３７】
尚、上記実施の形態において、取付部１をシリコーン樹脂で構成したが、必ずしもこれに限定されるものではなく、例えば、ポリプロピレン等で構成しても良く、適宜変更して差支えない。
また、上記実施の形態において、切り込み部１３を直線状に形成したが、必ずしもこれに限定されるものではなく、例えば、Ｖ字状，逆Ｖ字状，波型形状，斜線状等の種々の形状に形成しても良く、適宜変更して差支えない。また、切り込み部１３は必ずしも設けなくても良い。
更に、上記実施の形態において、取付部１に係止孔１０を７つ設けたが、必ずしもこれに限定されるものではない。
【符号の説明】
【００３８】
Ｓ  物干竿用ハンガー保持具
Ｒ  物干竿
Ｈ  ハンガー
Ｈａ  フック
１  取付部
２  壁部
２ａ  壁部外側
２ｂ  壁部内側
３  中空部
４  軸線
５  スリット
６  端縁
１０  係止孔
１０ａ  中心点
１１  リング部材
１１ａ  壁部
１２  貫通孔
１２ａ  軸線
１３  切り込み部
１４  壁部内側
１５  軸線
１６  傾斜面
１７  ガイド凸部
【図１】
2011030886.tif 000003
【図２】
2011030886.tif 000004
【図３】
2011030886.tif 000005
【図４】
2011030886.tif 000006
【図５】
2011030886.tif 000007
【図６】
2011030886.tif 000008
【図７】
2011030886.tif 000009
【図８】
2011030886.tif 000010
【図９】
2011030886.tif 000011
【図１０】
2011030886.tif 000012
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
横断面円形の物干竿にこれを包持して取り付けられる取付部と、該取付部の外側に設けられハンガーのフックを係止して該ハンガーの物干竿に対する移動を規制する係止孔とを備えた物干竿用ハンガー保持具において、
上記取付部を、壁部に軸線方向に沿うスリットが形成され断面円形の中空部を有した筒状に形成するとともに、該スリットを拡開することにより略平板状になるまで弾性変形し且つその弾性力により円筒状に復元する可撓性の弾性樹脂で構成し、上記係止孔を上記取付部の上記スリットとは反対側の壁部外側に設け、
上記係止孔を可撓性の弾性樹脂からなるリング部材の貫通孔により構成し、該リング部材をその貫通孔の軸線が上記取付部の軸線方向に直交するように上記取付部の上記スリットとは反対側の壁部外側に付設し、
上記リング部材の壁部に、上記ハンガーのフックが通過可能な切り込み部を形成したことを特徴とする物干竿用ハンガー保持具。
【請求項２】
上記リング部材を、上記取付部と同材質で該取付部に一体形成したことを特徴とする請求項１記載の物干竿用ハンガー保持具。
【請求項３】
横断面円形の物干竿にこれを包持して取り付けられる取付部と、該取付部の外側に設けられハンガーのフックを係止して該ハンガーの物干竿に対する移動を規制する係止孔とを備えた物干竿用ハンガー保持具において、
上記取付部を、壁部に軸線方向に沿うスリットが形成され断面円形の中空部を有した筒状に形成するとともに、該スリットを拡開することにより略平板状になるまで弾性変形し且つその弾性力により円筒状に復元する可撓性の弾性樹脂で構成し、上記係止孔を上記取付部の上記スリットとは反対側の壁部外側に設け、
上記係止孔を、その軸線が上記取付部の軸線方向に直交する方向に延びるように上記取付部の上記スリットとは反対側の壁部に開設し、
上記係止孔を上開放の半円形状に形成し、該係止孔の上記取付部の軸線方向両外側に該係止孔に向けて傾斜する傾斜面を有したガイド凸部を設けたことを特徴とする物干竿用ハンガー保持具。
【請求項４】
上記取付部をシリコーン樹脂で構成したことを特徴とする請求項１乃至３何れかに記載の物干竿用ハンガー保持具。
【請求項５】
上記係止孔を上記取付部の軸線方向に沿って所定間隔で複数列設し、上記取付部の軸線方向長さＬを２００ｍｍ≦Ｌ≦４００ｍｍとし、該各係止孔の間隔Ｐ１を４０ｍｍ≦Ｐ１≦６０ｍｍとしたことを特徴とする請求項１乃至４何れかに記載の物干竿用ハンガー保持具。
【請求項６】
上記取付部の両端縁から最も近隣の係止孔までの距離Ｐ２を、Ｐ２＝（１／２）Ｐ１としたことを特徴とする請求項５記載の物干竿用ハンガー保持具。
【手続補正２】
【補正対象書類名】明細書
【補正対象項目名】００１９
【補正方法】変更
【補正の内容】
【００１９】
更にまた、必要に応じ、上記係止孔を上開放の半円形状に形成し、該係止孔の上記取付部の軸線方向両外側に該係止孔に向けて傾斜する傾斜面を有したガイド凸部を設けた構成としている。
これにより、ハンガーのフックをガイド凸部に引っ掛けるだけで、ガイド凸部の傾斜面に沿ってハンガーのフックを係止孔に導くことができ、そのため、ハンガーのフックを係止孔に容易に挿通することができるので、ハンガー掛けの作業性を向上させることができる。
【手続補正３】
【補正対象書類名】明細書
【補正対象項目名】００３４
【補正方法】変更
【補正の内容】
【００３４】
図７及び図８には、本発明の別の実施の形態に係る物干竿用ハンガー保持具Ｓを示している。これは、係止孔１０が、上開放の半円形状に形成されるとともに、その軸線１５が取付部１の軸線４方向に直交する方向に延びるように取付部１のスリット５とは反対側の壁部２に開設されている。この係止孔１０は、上記と同様の間隔で複数設けられている。また、係止孔１０の取付部１の軸線４方向両外側に、係止孔１０に向けて傾斜する傾斜面１６を有したガイド凸部１７が設けられている。このガイド凸部１７は、取付部１と同材質で取付部１に一体形成されている。取付部１とガイド凸部１７とを同材質で一体形成するとともに、係止孔１０を取付部１の壁部２に開設しているので、製造を極めて容易に行なうことができる。
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
横断面円形の物干竿にこれを包持して取り付けられる取付部と、該取付部の外側に設けられハンガーのフックを係止して該ハンガーの物干竿に対する移動を規制する係止孔とを備えた物干竿用ハンガー保持具において、
上記取付部を、壁部に軸線方向に沿うスリットが形成され断面円形の中空部を有した筒状に形成するとともに、該スリットを拡開することにより略平板状になるまで弾性変形し且つその弾性力により円筒状に復元する可撓性の弾性樹脂で構成し、上記係止孔を上記取付部の上記スリットとは反対側の壁部外側に設け、
上記係止孔を上記取付部材と同材質の可撓性の弾性樹脂からなる円筒状のリング部材の貫通孔により構成し、該リング部材をその貫通孔の軸線が上記取付部の軸線方向に直交するように上記取付部の上記スリットとは反対側の壁部外側に付設し、
上記リング部材の壁部に、該リング部材の弾性力により閉じるとともに拡開させられて上記ハンガーのフックが通過可能な切り込み部を形成し、該ハンガーのフックが上記リング部材の係止孔に挿通されたとき上記リング部材の弾性力によって該リング部材に挾着可能にしたことを特徴とする物干竿用ハンガー保持具。
【請求項２】
上記切り込み部を、上記リング部材の壁部の横側に形成したことを特徴とする請求項１記載の物干竿用ハンガー保持具。
【請求項３】
上記リング部材を、上記取付部と同材質で該取付部に一体形成したことを特徴とする請求項１または２記載の物干竿用ハンガー保持具。
【請求項４】
上記取付部をシリコーン樹脂で構成したことを特徴とする請求項１乃至３何れかに記載の物干竿用ハンガー保持具。
【請求項５】
上記係止孔を上記取付部の軸線方向に沿って所定間隔で複数列設し、上記取付部の軸線方向長さＬを２００ｍｍ≦Ｌ≦４００ｍｍとし、該各係止孔の間隔Ｐ１を４０ｍｍ≦Ｐ１≦６０ｍｍとしたことを特徴とする請求項１乃至４何れかに記載の物干竿用ハンガー保持具。
【請求項６】
上記取付部の両端縁から最も近隣の係止孔までの距離Ｐ２を、Ｐ２＝（１／２）Ｐ１としたことを特徴とする請求項５記載の物干竿用ハンガー保持具。
【手続補正２】
【補正対象書類名】明細書
【補正対象項目名】００１５
【補正方法】変更
【補正の内容】
【００１５】
更にまた、必要に応じ、上記係止孔を上記取付部材と同材質の可撓性の弾性樹脂からなる円筒状のリング部材の貫通孔により構成し、該リング部材をその貫通孔の軸線が上記取付部の軸線方向に直交するように上記取付部の上記スリットとは反対側の壁部外側に付設した構成としている。
これにより、ハンガーのフックにおいて取付部の軸線方向の移動をリング部材の壁部で抑えることができるので、ハンガーの保持が確実になる。また、リング状なので、カラス等の鳥によってハンガーを外されて持っていかれる事態も防止される。
【手続補正３】
【補正対象書類名】明細書
【補正対象項目名】００１６
【補正方法】変更
【補正の内容】
【００１６】
そして、また、上記リング部材の壁部に、該リング部材の弾性力により閉じるとともに拡開させられて上記ハンガーのフックが通過可能な切り込み部を形成し、該ハンガーのフックが上記リング部材の係止孔に挿通されたとき上記リング部材の弾性力によって該リング部材に挾着可能にした構成としている。
これにより、ハンガーのフックを、切り込み部を通過させて係止孔に挿通することができるので、比較的容易に挿通することができる。また、ハンガーのフックが係止孔の内径よりも太い場合でも、リング部材は可撓性の弾性樹脂で形成されているので、ハンガーのフックを切り込み部から通過させることによりリング部材の切り込み部が拡開し、これによってハンガーのフックを係止孔に挿通することができる。また、挿通後には、リング部材がその弾性力により元の径に復元しようとし、これによってハンガーのフックがリング部材に挾着されるようになるので、ハンガーのフックを係止孔で確実に係止させることができる。
【手続補正４】
【補正対象書類名】明細書
【補正対象項目名】００１９
【補正方法】削除
【補正の内容】
【手続補正５】
【補正対象書類名】明細書
【補正対象項目名】００２２
【補正方法】変更
【補正の内容】
【００２２】
【図１】本発明の実施の形態に係る物干竿用ハンガー保持具を、その使用状態で示す斜視図である。
【図２】本発明の実施の形態に係る物干竿用ハンガー保持具を示す斜視図である。
【図３】本発明の実施の形態に係る物干竿用ハンガー保持具を、そのスリットを拡開させて略平板状に弾性変形させた状態を示す斜視図である。
【図４】本発明の実施の形態に係る物干竿用ハンガー保持具を示し、（Ａ）は物干竿に取り付ける前の状態を示す断面図、（Ｂ）はスリットを拡開させた状態を示す断面図、（Ｃ）は物干竿に取り付けた後の状態を示す断面図である。
【図５】本発明の実施の形態に係る物干竿用ハンガー保持具を物干竿に複数連設させて取り付けた状態を示す斜視図である。
【図６】本発明の実施の形態に係る物干竿用ハンガー保持具を示し、（Ａ）はハンガーを係止させる前の状態を示す断面図、（Ｂ）はハンガーのフックが切り込み部を通過する状態を示す断面図、（Ｃ）はハンガーを係止孔に係止させた後の状態を示す断面図である。
【図７】本発明の開発段階で提案された物干竿用ハンガー保持具を、その使用状態で示す斜視図である。
【図８】本発明の開発段階で提案された物干竿用ハンガー保持具を示し、（Ａ）はハンガーを係止させる前の状態を示す断面図、（Ｂ）はハンガーを係止孔に係止させた後の状態を示す断面図である。
【図９】従来の物干竿用ハンガー保持具の一例を示し、（Ａ）は斜視図、（Ｂ）は使用状態を示す断面図である。
【図１０】従来の物干竿用ハンガー保持具の一例を示し、（Ａ）は正面図、（Ｂ）は側面断面図である。
【手続補正６】
【補正対象書類名】明細書
【補正対象項目名】００２５
【補正方法】変更
【補正の内容】
【００２５】
係止孔１０は、取付部１と同材質の可撓性の弾性樹脂からなる円筒状のリング部材１１の貫通孔１２により構成されている。このリング部材１１は、その壁部１１ａにハンガーＨのフックＨａが通過可能な切り込み部１３が形成されており、その貫通孔１２の軸線１２ａが取付部１の軸線４方向に直交するように取付部１のスリット５とは反対側の壁部外側２ａに一体形成されて設けられている。この切り込み部１３は、リング部材１１の壁部１１ａの横側に直線状に形成されている。
【手続補正７】
【補正対象書類名】明細書
【補正対象項目名】００３４
【補正方法】変更
【補正の内容】
【００３４】
図７及び図８には、本発明の開発段階で提案された物干竿用ハンガー保持具Ｓを示している。これは、係止孔１０が、上開放の半円形状に形成されるとともに、その軸線１５が取付部１の軸線４方向に直交する方向に延びるように取付部１のスリット５とは反対側の壁部２に開設されている。この係止孔１０は、上記と同様の間隔で複数設けられている。また、係止孔１０の取付部１の軸線４方向両外側に、係止孔１０に向けて傾斜する傾斜面１６を有したガイド凸部１７が設けられている。このガイド凸部１７は、取付部１と同材質で取付部１に一体形成されている。取付部１とガイド凸部１７とを同材質で一体形成するとともに、係止孔１０を取付部１の壁部２に開設しているので、製造を極めて容易に行なうことができる。
【手続補正８】
【補正対象書類名】明細書
【補正対象項目名】００３７
【補正方法】変更
【補正の内容】
【００３７】
尚、上記実施の形態において、取付部１をシリコーン樹脂で構成したが、必ずしもこれに限定されるものではなく、例えば、ポリプロピレン等で構成しても良く、適宜変更して差支えない。
また、上記実施の形態において、切り込み部１３を直線状に形成したが、必ずしもこれに限定されるものではなく、例えば、Ｖ字状，逆Ｖ字状，波型形状，斜線状等の種々の形状に形成しても良く、適宜変更して差支えない。
更に、上記実施の形態において、取付部１に係止孔１０を７つ設けたが、必ずしもこれに限定されるものではない。